(57)【要約】【課題】遊技場の管理情報を正確に把握する。【解決手段】遊技機６と遊技関連装置７、８、９から稼動情報を収集する情報収集端末装置５と、前記情報収集端末装置が収集した稼動情報を収集する遊技用管理装置１と、前記遊技用管理装置とは別に動作し、前記遊技用管理装置が収集する稼動情報と対比可能な稼動情報を収集するデータ収集装置３と、前記情報収集端末装置、前記遊技用管理装置及び前記データ収集装置を接続するネットワークと、を備えた遊技システムであって、前記情報収集端末装置は、収集した前記稼動情報を演算し、所定期間の累積データを生成する累積データ生成手段と、前記累積データを前記ネットワークに送信する累積データ送信手段とを備え、前記データ収集装置は、前記情報収集端末装置が送信した累積データを記憶する累積データ記憶手段と、前記累積データを出力する累積データ出力手段と、を備える。【選択図】図１
2006051391.tif 000002
【特許請求の範囲】
【請求項１】
遊技場に設置された遊技機と遊技場の収支に関わる装置との少なくとも一方から稼動情報を収集する情報収集端末装置と、
前記情報収集端末装置が収集した稼動情報を収集する遊技用管理装置と、
前記遊技用管理装置とは別に動作し、前記遊技用管理装置が収集する稼動情報と対比可能な稼動情報を収集するデータ収集装置と、
前記情報収集端末装置、前記遊技用管理装置及び前記データ収集装置を接続するネットワークと、を備えた遊技システムであって、
前記情報収集端末装置は、収集した前記稼動情報を演算し、所定期間の累積データを生成する累積データ生成手段と、前記累積データを前記ネットワークに送信する累積データ送信手段とを備え、
前記データ収集装置は、前記情報収集端末装置が送信した累積データを記憶する累積データ記憶手段と、前記累積データを出力する累積データ出力手段と、を備えることを特徴とする遊技システム。
【請求項２】
前記情報収集端末装置には、前記累積データが一単位の営業が終了した時の累積値に基づくものである場合に、前記累積データを最終累積データとして確定する最終累積データ確定手段を備えることを特徴とする請求項１に記載の遊技システム。
【請求項３】
前記情報収集端末装置は、前記最終累積データが確定すると、遊技用管理装置に前記最終累積データを送信すると共に、前記データ収集装置にも前記最終累積データを送信することを特徴とする請求項１又は２に記載の遊技システム。
【請求項４】
前記最終累積データ確定手段は、前記遊技用管理装置からの一単位の営業の終了の通知に基づいて、最終累積データを確定することを特徴とする請求項２又は３に記載の遊技システム。
【請求項５】
前記情報収集端末装置は、前記遊技機又は前記遊技場の収支に関わる装置から稼動情報、若しくは、他の情報収集端末装置からの信号を、所定期間において受信したか否かによって、一単位の営業の終了を判定する営業終了判定手段を備え、
前記最終累積データ確定手段は、前記営業終了判定手段の判定結果に基づいて、最終累積データを確定することを特徴とする請求項２又は３に記載の遊技システム。
【請求項６】
前記データ収集装置は、前記情報収集端末装置が前記遊技用管理装置に対して送信した、前記遊技機又は前記遊技場の収支に関わる装置からの稼動情報を、所定期間において受信したか否かによって、一単位の営業の終了を判定する営業終了判定手段と、
前記営業終了判定手段の判定結果に基づいて、最終累積データを確定する最終累積データ確定手段と、
を備えることを特徴とする請求項２又は３に記載の遊技システム。
【請求項７】
前記累積データ送信手段は、前記累積データを前記遊技用管理装置に対して送信する第１累積データ送信手段と、前記累積データを前記データ収集装置に対して送信する第２累積データ送信手段とを備えることを特徴とする請求項１から６のいずれか一つに記載の遊技システム。
【請求項８】
前記遊技用管理装置から前記累積値の送信要求があったときに、前記第１累積データ送信手段は前記遊技用管理装置に前記累積値を送信し、前記第２累積データ送信手段は前記データ収集装置に前記累積値を送信することを特徴とする請求項７に記載の遊技システム。
【請求項９】
前記累積データ送信手段は、前記累積データを前記遊技用管理装置に対して送信する第１累積データ送信手段を備え、
前記データ収集装置は、前記第１累積データ送信手段が前記遊技用管理装置に対して送信した累積データを取得することを特徴とする請求項１から６のいずれか一つに記載の遊技システム。
【請求項１０】
前記データ収集装置は、前記情報収集端末装置に前記累積値の送信を要求することを特徴とする請求項１から６のいずれか一つに記載の遊技システム。
【請求項１１】
前記データ収集装置は、前記累積データ記憶手段に記憶された前記累積データへのアクセスを制限するアクセス制限手段を備えることを特徴とする請求項１から１０のいずれか一つに記載の遊技システム。
【請求項１２】
前記データ収集装置は、通信回線を介して、遊技場外部に設けられた遊技場外部管理装置と通信可能に接続されており、
前記データ収集装置は、前記遊技場外部管理装置に前記最終累積データを送信する累積データ外部送信手段を備えることを特徴とする請求項１から１１に記載の遊技システム。
【請求項１３】
前記最終累積データは、一単位の営業が終了した時の累積値に基づくものであって、
前記累積データ外部送信手段は、当該営業単位の終了時点から、次の営業単位の開始までの間に、前記遊技場外部管理装置に対して前記最終累積データを送信することを特徴とする請求項１２に記載の遊技システム。
【請求項１４】
前記最終累積データは、一単位の営業が終了した時の累積値に基づくものであって、
前記累積データ送信手段は、当該営業単位の終了から、次の営業単位の開始までの間に、前記データ収集装置に対して前記最終累積データを送信することを特徴とする請求項１から１１のいずれか一つに記載の遊技システム。
【請求項１５】
遊技場に設置された遊技機と遊技場の収支に関わる装置との少なくとも一方から稼動情報を収集する情報収集端末装置及び前記情報収集端末装置が収集した稼動情報を収集する遊技用管理装置に、ネットワークを介して接続されるデータ収集装置であって、
前記遊技用管理装置とは別に動作し、前記情報収集端末装置が収集する稼動情報と同一の稼動情報を収集する情報収集手段と、
前記情報収集端末装置が前記遊技用管理装置に対して送信した、稼動情報に基づいて生成された累積データを取得し、
前記累積データを記憶する累積データ記憶手段と、前記累積データを出力する累積データ出力手段と、を備えることを特徴とするデータ収集装置。
【請求項１６】
前記情報収集端末装置が前記遊技用管理装置に対して送信した、前記遊技機又は前記遊技場の収支に関わる装置からの稼動情報を、所定期間において受信したか否かによって、一単位の営業の終了を判定する営業終了判定手段と、
前記営業終了判定手段の判定結果に基づいて、最終累積データを確定する最終累積データ確定手段と、を備えることを特徴とする請求項１５に記載のデータ収集装置。
【請求項１７】
前記累積データ記憶手段に記憶された前記累積データへのアクセスを制限するアクセス制限手段を備えることを特徴とする請求項１５又は１６に記載のデータ収集装置。
【請求項１８】
遊技場外部に設けられた遊技場外部管理装置と通信回線を介して通信する通信手段を有し、
前記遊技場外部管理装置に、前記最終累積データを記憶するために、前記最終累積データを送信する累積データ外部送信手段を備えることを特徴とする請求項１５から１７のいずれか一つに記載のデータ収集装置。
【請求項１９】
前記累積データは、一単位の営業が終了した時の累積値に基づくものであって、
前記累積データ外部送信手段によって、当該営業単位の終了時点から、次の営業単位の開始までの間に、前記遊技場外部管理装置に対して、前記累積データを送信することを特徴とする請求項１５から１８のいずれか一つに記載のデータ収集装置。
【請求項２０】
遊技場に設置された遊技機と遊技場の収支に関わる装置との少なくとも一方から稼動情報を収集し、稼動情報を収集する遊技用管理装置に該稼動情報に基づく遊技データをネットワークを介して送信する情報収集端末装置であって、
収集した稼動情報を演算し、所定期間の累積データを生成する累積データ生成手段と、前記累積データを前記ネットワークに送信する累積データ送信手段と、
前記累積データが、一単位の営業が終了した時の累積値に基づく最終累積データであるか否かを確定する最終累積データ確定手段と、
所定期間において前記遊技機又は前記遊技場の収支に関わる装置から稼動情報若しくは、他の情報収集端末装置からの信号を受信したか否かによって、一単位の営業の終了を判定する営業終了判定手段とを備え、
前記最終累積データ確定手段は、前記営業終了判定手段の判定結果に基づいて、最終累積データを確定することを特徴とする情報収集端末装置。
【請求項２１】
前記遊技用管理装置とは別に動作し、前記遊技用管理装置が収集する稼動情報と対比可能な稼動情報を収集するデータ収集装置と、前記ネットワークを介して通信可能に接続され、
前記最終累積データが確定すると、遊技用管理装置に前記最終累積データを送信すると共に、前記データ収集装置にも前記最終累積データを送信することを特徴とする請求項２０に記載の情報収集端末装置。
【請求項２２】
前記遊技用管理装置とは別に動作し、前記遊技用管理装置が収集する稼動情報と対比可能な稼動情報を収集するデータ収集装置と、前記ネットワークを介して通信可能に接続され、
前記遊技用管理装置から前記累積値の送信要求があったときに、遊技用管理装置に前記累積値を送信すると共に、前記データ収集装置にも前記累積値を送信することを特徴とする請求項２０から２１のいずれか一つに記載の情報収集端末装置。
【請求項２３】
前記最終累積データは、一単位の営業が終了した時の累積値に基づくものであって、
前記情報収集端末装置は、前記累積データ送信手段によって、当該営業単位の終了から、次の営業単位の開始までの間に、前記データ収集装置に対して前記最終累積データを送信することを特徴とする請求項２０から２２のいずれか一つ記載の情報収集端末装置。
【請求項２４】
情報収集端末装置、第１のデータ収集装置及び第２のデータ収集装置をネットワークによって接続して構成された遊技システムに適用され、
前記情報収集端末装置が、遊技場に設置された遊技機又は遊技場の収支に関わる遊技関連装置から稼動情報を収集して、前記第１のデータ収集装置及び第２のデータ収集装置に蓄積するデータ収集方法であって、
収集した稼動情報を演算して所定期間の累積データを生成し、前記累積データを前記ネットワークに送信し、
前記第１のデータ収集装置と前記第２のデータ収集装置とは別に動作し、各々前記情報収集端末装置が送信した累積データを記憶して、前記記憶した累積データを出力することを特徴とするデータ収集方法。
【発明の詳細な説明】
【技術分野】
【０００１】
本発明は、パチンコ遊技機、スロットマシン等の遊技機が設置された遊技場における管理情報を処理する遊技用システムに関する。
【背景技術】
【０００２】
従来、遊技場においては、設置されている遊技機の稼動状況や売上情報、景品交換情報等の管理情報を、遊技用管理装置（ホールコンピュータ）により集計管理している。遊技場の経営者は、このようにして得られた管理情報を遊技場の経営管理に利用している。
【０００３】
また、多店舗を展開する経営規模がある程度大きな企業では、各遊技場の管理情報を本部に集めて経営管理に利用している。
【発明の開示】
【発明が解決しようとする課題】
【０００４】
しかし、従来の遊技システムでは、遊技場が多店舗に展開されると各遊技場毎に配置される現場責任者と経営者との距離が大きくなり、経営者による現場の管理が行き届かなくなりやすい。それでも、特定地域に限定して展開されている場合には、本部の担当者が巡回するなどして、支配下にある各遊技場を管理することが可能であるが、広域的にあるいは全国規模で展開している遊技場の本部においては、支配下にある遊技場を直接監視することが困難である。そのために、各遊技場の遊技用管理装置が集計する管理情報を本部が統括的に収集し、各遊技場の運営状況を詳細に把握するように努めている。
【０００５】
ところが、遊技用管理装置を操作して不正行為が行われる可能性があるために、遊技用管理装置が集計する情報、または集計した情報を改変して、売上の一部を着服するなどの現場責任者による不正行為が散見され、支配下にある遊技場から収集される管理情報の信憑性に疑念を抱かざるを得ない事例が見受けられる。このような不正行為を防止するために、多店舗展開する遊技場の本部が支配下にある遊技場の遊技用管理装置が集計する管理情報を正確に収集することができるシステム構築が求められている。
【０００６】
また、このような個人による不正行為の事例の他に、管理情報を改ざんして所得を過小に申告する事例も見られる。
【０００７】
本発明は、チェーン展開する遊技場本部が、支配下にある遊技場の管理情報を正確に把握するためのシステム構築を目的とするとともに、併せて所得の過少申告による脱税を防止することを目的とする。
【課題を解決するための手段】
【０００８】
第１の発明は、遊技場に設置された遊技機と遊技場の収支に関わる装置との少なくとも一方から稼動情報を収集する情報収集端末装置と、前記情報収集端末装置が収集した稼動情報を収集する遊技用管理装置と、前記遊技用管理装置とは別に動作し、前記遊技用管理装置が収集する稼動情報と対比可能な（例えば、同一の）稼動情報を収集するデータ収集装置と、前記情報収集端末装置、前記遊技用管理装置及び前記データ収集装置を接続するネットワークと、を備えた遊技システムであって、前記情報収集端末装置は、収集した前記稼動情報を演算し、所定期間の累積データ（例えば、一単位の営業が終了した時の累積値）を生成する累積データ生成手段と、前記累積データを前記ネットワークに送信する累積データ送信手段とを備え、前記データ収集装置は、前記情報収集端末装置が送信した累積データを記憶する累積データ記憶手段と、前記累積データを出力する累積データ出力手段と、を備える。
【０００９】
第１の発明における稼動情報は、遊技場の収支に関わる情報であり、例えば売上情報（現金及びカードに記憶された有価情報）と景品交換情報などの金額情報、賞球（賞メダル）情報（現金機では補給情報）と回収球（アウト球）（メダル）情報、差球情報（賞球情報と回収球情報の差）などの遊技媒体数情報などがある。また、貯球情報なども含まれる。また、券売機や金庫、景品ＰＯＳなどから出力される情報であってもよい。
【００１０】
第２の発明は、第１の発明において、前記情報収集端末装置には、前記累積データが一単位の営業が終了した時の累積値に基づくものである場合に、前記累積データを最終累積データとして確定する最終累積データ確定手段を備えることを特徴とする。
【００１１】
第３の発明は、第１又は第２の発明において、前記情報収集端末装置は、前記最終累積データが確定すると、遊技用管理装置に前記最終累積データを送信すると共に、前記データ収集装置にも前記最終累積データを送信することを特徴とする。
【００１２】
第４の発明は、第２又は第３の発明において、前記最終累積データ確定手段は、前記遊技用管理装置からの一単位の営業の終了の通知に基づいて、最終累積データを確定することを特徴とする。
【００１３】
第５の発明は、第２又は第３の発明において、前記情報収集端末装置は、前記遊技機又は前記遊技場の収支に関わる装置から稼動情報、若しくは、他の情報収集端末装置からの信号を、所定期間において受信したか否かによって、一単位の営業の終了を判定する営業終了判定手段を備え、前記最終累積データ確定手段は、前記営業終了判定手段の判定結果に基づいて、最終累積データを確定することを特徴とする。
【００１４】
第６の発明は、第２又は第３の発明において、前記データ収集装置は、前記情報収集端末装置が前記遊技用管理装置に対して送信した、前記遊技機又は前記遊技場の収支に関わる装置からの稼動情報を、所定期間において受信したか否かによって、一単位の営業の終了を判定する営業終了判定手段と、前記営業終了判定手段の判定結果に基づいて、最終累積データを確定する最終累積データ確定手段と、を備えることを特徴とする。
【００１５】
第７の発明は、第１〜第６の発明において、前記累積データ送信手段は、前記累積データを前記遊技用管理装置に対して送信する第１累積データ送信手段と、前記累積データを前記データ収集装置に対して送信する第２累積データ送信手段とを備えることを特徴とする。
【００１６】
第８の発明は、第７の発明において、前記遊技用管理装置から前記累積値の送信要求があったときに、前記第１累積データ送信手段は前記遊技用管理装置に前記累積値を送信し、前記第２累積データ送信手段は前記データ収集装置に前記累積値を送信することを特徴とする。
【００１７】
第９の発明は、第１〜第６の発明において、前記累積データ送信手段は、前記累積データを前記遊技用管理装置に対して送信する第１累積データ送信手段を備え、前記データ収集装置は、前記第１累積データ送信手段が前記遊技用管理装置に対して送信した累積データを取得することを特徴とする。
【００１８】
第１０の発明は、第１〜第６の発明において、前記データ収集装置は、前記情報収集端末装置に前記累積値の送信を要求することを特徴とする。
【００１９】
第１１の発明は、第１〜第１０の発明において、前記データ収集装置は、前記累積データ記憶手段に記憶された前記累積データへのアクセスを制限するアクセス制限手段を備えることを特徴とする。
【００２０】
第１２の発明は、第１〜第１１の発明において、前記データ収集装置は、遊技場外部に設けられた遊技場外部管理装置に通信回線を介して通信可能に接続されており、前記データ収集装置は、前記遊技場外部管理装置に、前記最終累積データを記憶するために、前記最終累積データを送信する累積データ外部送信手段を備えることを特徴とする。
【００２１】
第１３の発明は、第１２の発明において、前記最終累積データは、一単位の営業が終了した時の累積値に基づくものであって、前記累積データ外部送信手段は、当該営業単位の終了時点から、次の営業単位の開始までの間に、前記遊技場外部管理装置に対して前記最終累積データを送信することを特徴とする。
【００２２】
第１４の発明は、第１〜第１１の発明において、前記最終累積データは、一単位の営業が終了した時の累積値に基づくものであって、前記累積データ送信手段は、当該営業単位の終了から、次の営業単位の開始までの間に、前記データ収集装置に対して前記最終累積データを送信することを特徴とする。
【００２３】
第１５の発明は、遊技場に設置された遊技機と遊技場の収支に関わる装置との少なくとも一方から稼動情報を収集する情報収集端末装置及び前記情報収集端末装置が収集した稼動情報を収集する遊技用管理装置に、ネットワークを介して接続されるデータ収集装置であって、前記遊技用管理装置とは別に動作し、前記情報収集端末装置が収集する稼動情報と同一の稼動情報を収集する情報収集手段と、前記情報収集端末装置が前記遊技用管理装置に対して送信した、稼動情報に基づいて生成された累積データを取得し、前記累積データを記憶する累積データ記憶手段と、前記累積データを出力する累積データ出力手段と、を備える。
【００２４】
第１６の発明は、第１５の発明において、前記情報収集端末装置が前記遊技用管理装置に対して送信した、前記遊技機又は前記遊技場の収支に関わる装置からの稼動情報を、所定期間において受信したか否かによって、一単位の営業の終了を判定する営業終了判定手段と、前記営業終了判定手段の判定結果に基づいて、最終累積データを確定する最終累積データ確定手段と、を備えることを特徴とする。
【００２５】
第１７の発明は、第１５又は第１６の発明において、前記累積データ記憶手段に記憶された前記累積データへのアクセスを制限するアクセス制限手段を備えることを特徴とする。
【００２６】
第１８の発明は、第１５〜第１７の発明において、遊技場外部に設けられた遊技場外部管理装置と通信回線を介して通信する通信手段を有し、前記遊技場外部管理装置に、前記最終累積データを記憶するために、前記最終累積データを送信する累積データ外部送信手段を備えることを特徴とする。
【００２７】
第１９の発明は、第１５〜第１８の発明において、前記累積データは、一単位の営業が終了した時の累積値に基づくものであって、前記累積データ外部送信手段によって、当該営業単位の終了時点から、次の営業単位の開始までの間に、前記遊技場外部管理装置に対して、前記累積データを送信することを特徴とする。
【００２８】
第２０の発明は、遊技場に設置された遊技機と遊技場の収支に関わる装置との少なくとも一方から稼動情報を収集し、稼動情報を収集する遊技用管理装置に該稼動情報に基づく遊技データをネットワークを介して送信する情報収集端末装置であって、収集した稼動情報を演算し、所定期間の累積データ（例えば、一単位の営業が終了した時の累積値）を生成する累積データ生成手段と、前記累積データを前記ネットワークに送信する累積データ送信手段と、前記累積データが、一単位の営業が終了した時の累積値に基づく最終累積データであるか否かを確定する最終累積データ確定手段と、所定期間において前記遊技機又は前記遊技場の収支に関わる装置から稼動情報若しくは、他の情報収集端末装置からの信号を受信したか否かによって、一単位の営業の終了を判定する営業終了判定手段とを備え、前記最終累積データ確定手段は、前記営業終了判定手段の判定結果に基づいて、最終累積データを確定することを特徴とする。
【００２９】
第２１の発明は、第２０の発明において、前記遊技用管理装置とは別に動作し、前記遊技用管理装置が収集する稼動情報と対比可能な稼動情報を収集するデータ収集装置と、前記ネットワークを介して通信可能に接続され、前記最終累積データが確定すると、遊技用管理装置に前記最終累積データを送信すると共に、前記データ収集装置にも前記最終累積データを送信することを特徴とする。
【００３０】
第２２の発明は、第２０〜第２１の発明において、前記遊技用管理装置とは別に動作し、前記遊技用管理装置が収集する稼動情報と対比可能な稼動情報を収集するデータ収集装置と、前記ネットワークを介して通信可能に接続され、前記遊技用管理装置から前記累積値の送信要求があったときに、遊技用管理装置に前記累積値を送信すると共に、前記データ収集装置にも前記累積値を送信することを特徴とする。
【００３１】
第２３の発明は、第２０〜第２２の発明において、前記最終累積データは、一単位の営業が終了した時の累積値に基づくものであって、前記情報収集端末装置は、前記累積データ送信手段によって、当該営業単位の終了から、次の営業単位の開始までの間に、前記データ収集装置に対して前記最終累積データを送信することを特徴とする。
【００３２】
第２４の発明は、情報収集端末装置、第１のデータ収集装置及び第２のデータ収集装置をネットワークによって接続して構成された遊技システムに適用され、前記情報収集端末装置が、遊技場に設置された遊技機又は遊技場の収支に関わる遊技関連装置から稼動情報を収集して、前記第１のデータ収集装置及び第２のデータ収集装置に蓄積するデータ収集方法であって、収集した稼動情報を演算して所定期間の累積データを生成し、前記累積データを前記ネットワークに送信し、前記第１のデータ収集装置と前記第２のデータ収集装置とは別に動作し、各々前記情報収集端末装置が送信した累積データを記憶して、前記記憶した累積データを出力することを特徴とする。
【発明の効果】
【００３３】
本発明では、遊技場に設置された遊技機と遊技場の収支に関わる装置との少なくとも一方から稼動情報を収集する情報収集端末装置と、前記情報収集端末装置が収集した稼動情報を収集する遊技用管理装置と、前記遊技用管理装置とは別に動作し、前記情報収集端末装置が収集する稼動情報と対比可能な稼動情報を収集するデータ収集装置と、前記情報収集端末装置、前記遊技用管理装置及び前記データ収集装置を接続するネットワークと、を備えた遊技システムであって、前記情報収集端末装置は、収集した前記稼動情報を演算し、所定期間の累積データを生成する累積データ生成手段と、前記累積データを前記ネットワークに送信する累積データ送信手段とを備え、前記データ収集装置は、前記情報収集端末装置が送信した累積データを記憶する累積データ記憶手段と、前記累積データを出力する累積データ出力手段と、を備えるので、遊技用管理装置と独立してデータ収集装置が稼動情報を収集し、両装置が収集した稼動情報を対比すると、一方の装置が収集した累積データが改変されていることが分かることから、遊技場の稼働情報の累積データを不正に改変した場合、遊技用管理装置の最終累積値とデータ収集装置に記憶される最終累積値とに矛盾が生じ、不正な改変の手がかりを得ることを可能にする。また、情報収集端末装置が、累積値を収集するため、集計途中での異常（例えば、データの取りこぼし）があったとしても、遊技用管理装置の最終累積値とデータ収集装置の最終累積値とが一致する。また、累積値の収集のため、通信負荷を軽減可能である。
【００３４】
また本発明では、前記データ収集装置は、通信回線を介して、遊技場外部に設けられた遊技場外部管理装置と通信可能に接続されており、前記データ収集装置は、前記遊技場外部管理装置に、前記最終累積データを記憶するために、前記最終累積データを送信する累積データ外部送信手段を備えるので、遊技場管理装置が集計した管理情報の正当性を判定する判定材料を遊技場外部において管理することができ、不正な稼働情報の累積データの改変を発見することができるようになるとともに、不正なデータ改変を抑止することが可能となる。
【００３５】
また、本発明では、前記データ収集装置は、前記累積データ記憶手段に記憶された前記累積データへのアクセスを制限するアクセス制限手段を備えるので、データ収集装置に記憶される最終累積値の不正な改変を防止することができる。
【００３６】
また、本発明では、前記情報収集端末装置が、前記累積データが、一単位の営業が終了した時の累積値に基づくものである場合に、前記累積データを最終累積データとして確定する最終累積データ確定手段を備え、前記最終累積データ確定手段は、前記遊技用管理装置からの一単位の営業の終了の通知に基づいて、最終累積データを確定するので、遊技用管理装置に収集された最終累積値と、データ収集装置が収集した最終累積値とを確実に一致させることができる。
【００３７】
また、本発明では、前記情報収集端末装置は、前記遊技機又は前記遊技場の収支に関わる装置から稼動情報、若しくは、他の情報収集端末装置からの信号を、所定期間において受信したか否かによって、一単位の営業の終了を判定する営業終了判定手段を備え、前記最終累積データ確定手段は、前記営業終了判定手段の判定結果に基づいて、最終累積データを確定するので、情報収集端末装置によって、遊技用管理装置と独立した営業終了判断により最終累積値を確定することから、遊技用管理装置からの不正な営業終了指示に基づく最終累積値の異常な判断を防止することができる。
【００３８】
また、本発明では、前記データ収集装置は、前記情報収集端末装置が前記遊技用管理装置に対して送信した、前記遊技機又は前記遊技場の収支に関わる装置からの稼動情報を、所定期間において受信したか否かによって、一単位の営業の終了を判定する営業終了判定手段を備え、前記営業終了判定手段の判定結果に基づいて、最終累積データを確定するするので、データ収集装置によって、遊技用管理装置と独立した営業終了判断により最終累積値を確定することから、遊技用管理装置からの不正な営業終了指示に基づく最終累積値の異常な判断を防止することができる。
【発明を実施するための最良の形態】
【００３９】
以下、本発明の実施の形態について、図面を参照して説明する。
【００４０】
図１は、本発明の実施の形態の遊技システムの全体の構成を示すシステム構成図である。
【００４１】
遊技場Ａには、遊技場内部のネットワークである内部ネットワークが設けられており、該内部ネットワークには遊技用管理装置（ホールコンピュータ）１、データ収集装置３、中継端末４が接続されている。
【００４２】
遊技場内に設けられた内部ネットワークは、例えば、Ｅｔｈｅｒｎｅｔ（登録商標）によって構成されており、該内部ネットワークに接続された機器にはアドレスが設定されており、各機器間の通信（特定の機器に対するデータ転送）や、全機器に対する同報通信（例えば、ブロードキャスト）を行うことができる。
【００４３】
遊技用管理装置１は、遊技機６及び遊技場内部に設置された遊技場の収支に関わる遊技関連装置（計数機７、券売機８、金庫９等）から稼動情報を収集し、各機器の動作状況を監視する。そして、各機器から収集した稼動情報を分析して遊技場の営業分析をし、遊技機６（パチンコ機）の釘調整をし、遊技機６に対する不正を発見する。
【００４４】
データ収集装置３は、遊技用管理装置１とは別個独立して動作し、遊技場内部に設置された機器（遊技機６、計数機７、券売機８、金庫９等）からの情報を、遊技用管理装置１とは別に収集する。
【００４５】
中継端末４は遊技場内の島設備毎に設けられており、該島設備内に設置された情報収集端末装置５からの情報を中継して、該情報を内部ネットワークに向けて送信する。
【００４６】
遊技機６は島設備に複数台ずつ設置されており、遊技機本体６ａに、球貸ユニット６ｂ、補給タンク６ｃ及びアウトタンク６ｄが付加されて構成されている。遊技機６毎又は複数（例えば、２台）の遊技機６に１台の情報収集端末装置５が接続されており、情報収集端末装置５は、遊技機６から出力される情報を収集する。具体的には、遊技機６に設けられた外部出力端子からは、遊技機６の稼動情報として遊技に関わる信号が出力されている。なお、遊技機６の稼働情報を外部出力端子から取り出すのではなく、通信機能付遊技用ＣＰＵの通信ポートを介して遊技機６の稼働情報を出力するように構成してもよい。
【００４７】
この遊技機本体６ａから出力される信号には、上タンク内の賞品球が不足していることを示し、島設備からの球の補給を促す「球切れ信号」、所定数（例えば、１０個）の賞球を排出する毎に出力される「賞球信号」、所定数（例えば、２５個）の遊技球を貸し出す毎に出力される「球貸信号」、変動表示装置が変動表示を開始したときに出力される「スタート信号」、変動表示装置の変動表示が停止したときに出力される「図柄確定信号」、特別遊技状態（大当り状態）中に出力される「大当り信号」、確率変動中に出力される「確変信号」等がある。また、球貸ユニット（現金サンド）６ｂからは、球貸時の売上高に関する「売上信号」が出力される。なお、この現金サンドからの「売上信号」は、売上金額に関する情報としての他、売上金額に相当する貸球数に関する情報としても使用される。すなわち、これらの信号を受信した情報収集端末装置５は、遊技機６からの稼動情報を収集して、遊技用管理装置１やデータ収集装置３に対して稼動情報や該稼動情報の累積データを内部ネットワークに向けて送信する。
【００４８】
また、遊技機６には、遊技機６に遊技球を補給する補給タンク６ｃと、遊技機６から回収したアウト球を収容するアウトタンク６ｄとが併設されている。補給タンク６ｃには補給した球数を計数する補給数計数部を有し、アウトタンク６ｄにはアウト球数を計数する回収球計数部を有している。補給タンク６ｃ（補給数計数部）は補給球の計数結果を稼動情報として「補給信号」を出力する。アウトタンク６ｄ（回収球計数部）はアウト球の計数結果を稼動情報として「回収信号」を出力する。この補給タンク６ｃ及びアウトタンク６ｄは情報収集端末装置５に接続され、情報収集端末装置５が補給タンク６ｃ及びアウトタンク６ｄから出力される稼動情報を収集して、該稼動情報を集計して累積値を生成し、その累積値を累積データとして遊技用管理装置１やデータ収集装置３に出力する。
【００４９】
また、遊技場内には、遊技場の収支に関わる遊技関連装置として計数機７、券売機８及び金庫９が設けられており、各々情報収集端末装置５に接続されている。計数機７は、遊技者が遊技によって得た遊技媒体（遊技球、メダル等）を、景品との交換のために、計数するジェットカウンター等の装置であり、遊技媒体の計数結果に関する「計数信号」を出力する。券売機８は、遊技に用いるプリペイドカード等を発券するものであり、発券時の売上高に関する「売上信号」を出力する、金庫９は、券売機８、現金サンドが収受した現金が搬送されて収納されるもので、金庫９への入金高に関する「入金信号」が出力される。これらの、計数機７、券売機８及び金庫９からの稼動情報としての「計数信号」、「売上信号」、「入金信号」は、情報収集端末装置５に入力される。情報収集端末装置５では、所定時間の遊技媒体の計数値、売上高、入金高を加算演算して稼動情報の累積値を生成し、その累積値を稼動情報の累積データとして遊技用管理装置１やデータ収集装置３に出力する。
【００５０】
情報収集端末装置５は、遊技場に設置される装置（遊技６機等）に接続されており、これらの装置から出力される稼動情報を収集して、該稼動情報を記憶蓄積する。そして、該稼動情報に基づいて、所定期間の稼動情報の累積値（例えば、賞球信号に基づいて算出される賞球数の累積値）を生成し、その累積値を稼動情報の累積データとして遊技用管理装置１やデータ収集装置３に送信する。この情報収集端末装置５が生成する所定期間の稼動情報の累積値（累積データ）は、通常は一営業単位毎に累積算出されるが、週又は月を単位として累積算出するように構成してもよい。
【００５１】
ここで営業単位とは一日の営業開始から営業終了までを意味し、開店時間より早く始まり閉店時間より遅く終わる。なお、一日の営業時間を午前・午後等に分割して時間毎に営業単位を設定してもよい。また、営業単位を、複数日（例えば１週間）にわたるものとしてもよい。
【００５２】
なお、情報収集端末装置５に、遊技機６の過去の稼働状況（スタート回数、大当り回数等）を表示する情報開示機器や呼出ランプなどが併設される構成としてもよい。
【００５３】
本実施の形態では、情報収集端末装置５からの情報を中継する中継端末４を島設備毎に設けたが、中継端末４を設けることなく、情報収集端末装置５を直接内部ネットワークに接続するように構成してもよい。また、情報収集端末装置５や中継端末４を介さず遊技機６と内部ネットワークとが直接接続されるように構成してもよい。
【００５４】
データ収集装置３は、情報収集端末装置５から送信された稼動情報の累積データ（累積値）を受信し、その累積値を記憶して、所定のタイミングで、営業終了時の稼動情報の累積値として遊技場外部管理装置２に送信する。このデータ収集装置３には、本遊技システムに接続された各機器の稼動に必要な情報（例えば、時間情報）を送信するシステム時計の機能を有するように構成してもよい。このシステム時計が遊技システムを構成する各機器に時間情報を提供することで、各機器からの稼働情報を同一の時間に従って収集することができる。
【００５５】
このようにデータ収集装置３に、遊技システムの稼動に必要な機能を持たせると、データ収集装置３が故障したり、データ収集装置３を取り外したりすると、本遊技システムが稼動しないことから、データ収集装置３が稼動情報の累積値（累積データ）を収集しない状態で、遊技システムが稼動することがなく、データ収集装置３による稼動情報の累積値（累積データ）の収集漏れが生じることがない。
【００５６】
遊技場外部管理装置２は、遊技場チェーンを経営する本部や外部機関に設けられ、ネットワークを介して遊技用管理装置１やデータ収集装置３と接続されており、遊技用管理装置１及びデータ収集装置３が遊技場に設置された装置から収集した稼動情報の累積値（累積データ）の送信を受け、このデータを記憶蓄積して、管理する。
【００５７】
遊技用管理装置１の通信ポートには、遊技場外の外部ネットワーク（例えば、イントラネット、インターネット）と、電話回線網（例えば、ＩＳＤＮ）又は地域ＩＰ網を介して接続されており、他の遊技場や本部に設けられた遊技場外部管理装置２等の装置と通信をする。なお、データ収集装置３等の遊技用管理装置１以外の装置が、遊技場外に設けられた装置と通信する場合には、遊技用管理装置１の通信ポートを介して遊技場外部管理装置２等の遊技場外に設けられた装置と通信をする。
【００５８】
なお、遊技用管理装置１と遊技場外部管理装置２との間のネットワークが、インターネットのような不特定多数者が用いるネットワークであり、専用線で接続されていない場合には、遊技用管理装置１と遊技場外部管理装置２との間に仮想閉域網（ＶＰＮ）を設定すると、遊技用管理装置１と遊技場外部管理装置２との間で転送されるデータが外部に漏洩することがなく、遊技場の経営情報の秘匿性を保つことができる。
【００５９】
以上、主に遊技場Ａについて説明したが、遊技場Ｂ及び遊技場Ｃにも同様の設備が設けられており、遊技場外部管理装置２と、各遊技場に設けられた遊技用管理装置、データ収集装置と通信して、遊技場外部管理装置２に稼動情報の累積値（累積データ）を送信することができるように構成されている。
【００６０】
図２は、本発明の実施の形態の遊技システムの全体の別の構成を示すシステム構成図である。
【００６１】
図２に示す遊技システムでは、遊技用管理装置１の通信ポートによって外部ネットワークに接続するのではなく、データ収集装置３の通信ポートによって外部ネットワークに接続するように構成されている。
【００６２】
データ収集装置３の通信ポートには、遊技場外の外部ネットワーク（例えば、イントラネット、インターネット）と、電話回線網（例えば、ＩＳＤＮ）又は地域ＩＰ網を介して接続されており、他の遊技場や本部に設けられた遊技場外部管理装置２等の装置と通信をする。なお、遊技用管理装置１等のデータ収集装置３以外の装置が、遊技場外に設けられた装置と通信する場合には、データ収集装置３の通信ポートを介して遊技場外部管理装置２等の遊技場外に設けられた装置と通信をする。このように、データ収集装置３を遊技場外の外部ネットワークに直接接続すると、データ収集装置３から遊技場外部管理装置２へ送信される情報が遊技用管理装置１を経由することがないことから、データ収集装置３から遊技場外部管理装置２へ送信される情報が遊技用管理装置１で改変されるおそれがなくなる。
【００６３】
なお、図２に示す遊技システムでは、データ収集装置３と遊技場外部管理装置２との間に仮想閉域網（ＶＰＮ）を設定して、遊技場の経営情報の秘匿性を保つようにしている。
【００６４】
なお、遊技用管理装置１の通信ポートとデータ収集装置３の通信ポートととの双方を外部ネットワークに接続するように構成してもよい。
次に、本発明の実施の形態の情報収集端末装置５の構成を説明する。
【００６５】
情報収集端末装置５は、マイクロプロセッサ５０、電源回路及びデータ入出力用の端子が設けられている。このマイクロプロセッサ５０の構成を図３に示す。
【００６６】
マイクロプロセッサ５０は、３個のＣＰＵ５０１〜５０３を内蔵した１チップタイプのプロセッサであり、メディアアクセスコントロールＣＰＵ（ＭＡＣＣＰＵ）５０１、ネットワークＣＰＵ５０２、アプリケーションＣＰＵ５０３の３つのＣＰＵを内蔵している。また、これらのＣＰＵ５０１〜５０３が共通に接続されているアドレス及びデータのためのコモンバス５０４には、各ＣＰＵに共通して使用されるメモリとして、ＣＰＵによるプログラム実行時のワークエリアとして使用されるメモリであるＲＡＭ５０５、不揮発性のメモリであるＥＥＰＲＯＭ５０７、プログラムなどを予め格納したＲＯＭ５０９が接続されている。
【００６７】
また、このコモンバス５０４には、外部との入出力を司るネットワーク通信ポート５１０及びＩ／Ｏポート５１２も接続されている。ネットワーク通信ポート５１０は所定の通信プロトコルに従ってデータ通信を行うためのポートであり、Ｉ／Ｏポート５１２はパラレル又はシリアルの入出力ポートである。
【００６８】
ＥＥＰＲＯＭ５０７は不揮発性のメモリであって、ネットワーク構成およびアドレスの指定情報、識別コード（４８ビット）等の情報収集端末装置５に設定される情報や、制御用のプログラム等を記憶している。識別コード以外は、プログラムにより書き換え可能である。識別コードは、ＥＥＰＲＯＭ５０７の製造過程で改変不能に書き込まれるものであり、各チップ毎に異なるコードを書き込むことができる。この識別コードは、ネットワークを介して外部から読み出すことができるので、情報収集端末装置５の識別に用いることができる。すなわち、どの情報をどのプロセッサ５０（どの情報収集端末装置５）が出力したかを知ることができる。ＥＥＰＲＯＭ５０７のプログラムにより書き換え可能な部分及びＲＯＭ５０９には、稼動情報の収集に用いられるプログラムが記憶されている。
【００６９】
プロセッサには、ＣＰＵ５０１〜５０３のクロックやリセットなどの制御信号を出力する制御回路５１４も内蔵されている。
【００７０】
マイクロプロセッサ５０の、ネットワーク通信ポート５１０は、ドライバを介してネットワーク接続端子に接続されており、該ネットワーク接続端子には中継端末４が接続され、遊技場管理装置１及びデータ収集装置３との信号（データ信号、指令信号）の送受信をする。Ｉ／Ｏポート５１２は、ドライバを介して外部入出力端子に接続されており、該外部入出力端子には、遊技機６、計数機７等の遊技場に設置された装置から出力されたデータが入力される。
【００７１】
遊技機６、計数機７等の遊技場に設置された装置から稼動情報が入力さると、アプリケーションＣＰＵ５０３によって稼働情報の累積値が算出され、稼働情報の累積データが生成されて、累積データ生成手段が形成される。また、生成された稼働情報の累積データはネットワーク通信ポート５１０から出力され、ＭＡＣＣＰＵ５０１、ネットワークＣＰＵ５０２及びネットワーク通信ポート５１０によって、累積データ送信手段（遊技用管理装置に対してデータを送信する第１累積データ送信手段、データ収集装置３に対してデータを送信する第２累積データ送信手段）が構成される。
【００７２】
次に、本発明の実施の形態のデータ収集装置３の構成を説明する。図４は、データ収集装置３の構成を示すブロック図である。
【００７３】
データ収集装置３には、ＣＰＵ３０１、プログラムなどを予め格納したＲＯＭ３０２、ＣＰＵの動作時にワークエリアとして使用されるメモリであるＲＡＭ３０３、各種データを記憶するハードディスク、不揮発メモリ（フラッシュメモリ等）等の記憶装置３０４が設けられている。ＲＡＭ３０３は、情報収集端末装置５が送信した稼動情報の累積値（累積データ）を蓄積記憶して、累積データ記憶手段を構成する。これらのＣＰＵ３０１、ＲＯＭ３０２、ＲＡＭ３０３及び記憶装置３０４はバス３０８によって接続されている。このバス３０８はＣＰＵ３０２がデータの読み書きのために使用するアドレスバス及びデータバスから構成されている。
【００７４】
また、ＲＯＭ３０２、ＲＡＭ３０３には暗号化通信のための暗号キーが記憶されており、ＣＰＵ３０１とによって暗号化手段が構成されている。
【００７５】
バス３０８には、外部との入出力を司る通信インターフェース３０５、入力インターフェース３０６及び出力インターフェース３０７が接続されている。通信インターフェース３０５は、所定の通信プロトコルに従ってデータ通信を行うためのデータ入出力部であり、内部ネットワークと接続されている。入力インターフェース３０６、出力インターフェース３０７は、データ収集装置３に対して直接データを入出力するもので、メンテナンス用の入力装置（キーボード）や表示装置（ディスプレイ）が接続される。
【００７６】
なお、データ収集装置３は、ＲＡＭ３０３（累積データ記憶手段）に記憶された稼動情報の累積値（累積データ）を改変させないようにするために、他の装置からデータ収集装置３に対して、データ収集装置３が記憶している情報にアクセスするためのキー（パスワード等）を送信して、そのキーが一致しないとデータ収集装置３のポートが開かないように構成して、データ収集装置３（累積データ記憶手段）に記憶された情報（累積値、累積データ）へのアクセスを制限し、該情報の改変を防止するアクセス制限手段を有する。また、入力インターフェース３０６、出力インターフェース３０７は特別な入出力装置が接続されたときのみに動作するように構成したり、入力インターフェース３０６に入力装置を接続する端子を設けなかったり、ＣＰＵにデータを入出力するためのポートが使用できないように設定することによって、アクセス制限手段を構成してもよい。
【００７７】
また、データ収集装置３が収集した稼働情報の累積データは通信インターフェース３０５を介して遊技場外部管理装置２に送信され、ＣＰＵ３０１及び通信インターフェース３０５によって累積データ外部送信手段が構成される。
【００７８】
本実施の形態のデータ収集装置は稼動情報の累積値を記憶して、ネットワークを介して、遊技場外部管理装置に出力するが、出力インターフェース３０７を介して、ＲＡＭ３０３（累積データ記憶手段）に記憶された稼動情報の累積値（累積データ）を出力するデータ出力手段を設け、出力インターフェース３０７に接続したデータ読出装置によって、ＲＡＭ３０３に記憶された稼動情報の累積値を読み出すことができるように構成してもよい。また、記憶された稼動情報の累積値を記憶媒体（フラッシュメモリ、磁気記録媒体等）によって取り出すことによって、外部にデータを出力するように構成してもよい。
【００７９】
次に、本発明の実施の形態の遊技用管理装置１の構成を説明する。遊技用管理装置１は、図４に示すブロック図と等しい構成を有する。しかし、前述したデータ収集装置３の構成と以下の点で異なる。
【００８０】
まず、入力インターフェース３０６には、遊技用管理装置１の操作のための入力装置（キーボード、マウス等）が接続される。出力インターフェース３０７には、遊技機６等から収集したデータや、遊技用管理装置１の稼働状態を表示する表示装置（ディスプレイ）が接続される。
【００８１】
また、通信インターフェース３０５は、内部ネットワークに接続される他、遊技場外の外部ネットワークと接続している。よって、遊技場に設置され、ネットワークによって接続された各装置は、遊技用管理装置１を介して外部ネットワークに接続された機器と通信をすることができる。
【００８２】
次に、本発明の実施の形態の遊技場外部管理装置２の構成を説明する。遊技場外部管理装置２は、図４に示すブロック図と等しい構成を有する。しかし、前述したデータ収集装置３の構成と以下の点で異なる。
【００８３】
まず、入力インターフェース３０６には、遊技場外部管理装置２の操作のための入力装置（キーボード、マウス等）が接続される。出力インターフェース３０７には、遊技用管理装置１やデータ収集装置３から収集したデータを表示する表示装置（ディスプレイ）が接続される。
【００８４】
また、通信インターフェース３０５は、遊技場外の外部ネットワークと接続している。よって、各遊技場に設置された遊技用管理装置１や、データ収集装置３と通信をすることができる。
【００８５】
図５は、本発明の第１の実施の形態の遊技システムのイベント情報発生時の処理を示すシーケンス図である。
【００８６】
営業中の時間帯は、遊技機６が稼動しており、遊技機６から稼動情報として、所定数（例えば、１０個）の賞球が排出された賞球信号等が出力される。また、計数機７も稼動しており、計数機７から計数信号が出力され、券売機８から売上信号が出力され、金庫９から入金信号が出力される。これらの信号は稼動情報として情報収集端末装置５に入力される。
【００８７】
例えば、情報源である遊技機６からは、所定数（例えば、１０個）の賞球が排出されたことに関連する「賞球信号」や、遊技機６が特別遊技状態（大当り状態）になったことに関連する「大当り信号」が出力される。その稼動情報（賞球信号）は情報収集端末装置５に入力される。情報収集端末５では、受信した稼動情報が、直ちに遊技用管理装置１に送信すべき情報（イベント情報）であるか否かを判定する。
【００８８】
すなわち、遊技機６から出力される情報のうち、「球切れ信号」、「図柄確定信号」、「大当り信号」、「確変信号」、遊技機の前面枠開放に伴う「ドア開放信号」、呼出ボタンの操作に伴う「呼出信号」はイベント情報であり、遊技用管理装置１に直ちに送信される。一方、遊技機６から出力される情報のうち、「賞球信号」、「球貸信号」、「スタート信号」はイベント情報ではなく、情報収集端末装置５で累積値が集計される。また、遊技機以外の装置では、装置の異常を示す「エラー信号」はイベント情報であり、遊技用管理装置１に直ちに送信される。一方、「計数信号」、「売上信号」、「入金信号」はイベント情報ではなく、情報収集端末装置５で累積値が集計される。なお、イベント情報であるか否かは、遊技場の運営においてリアルタイムで必要とされる情報であるか否かによって各遊技場毎に設定されるようにしてもよい。
【００８９】
情報収集端末装置５が収集した稼動情報がイベント情報であると判定すると、情報収集端末装置５は該イベント情報（例えば、球切れ信号）を遊技用管理装置１に対して送信する。また、一部のイベント情報（例えば、大当り信号）は稼動情報を加算集計し、該稼動情報に基づいて累積データとしての累積値を生成し、該累積データが記憶される。
【００９０】
一方、イベント情報でない稼動情報は、該稼動情報に基づいて累積データとしての累積値が生成され、該累積値が記憶される。具体的には、所定時間における、賞としての遊技媒体の排出数（賞球排出数）、貸出のための遊技媒体の排出数（貸球数）、スタート回数の累積値が加算演算され、累積データが生成される。なお、稼動情報の累積データは、例えば、賞球数の累積加算値そのものであってもよいが、累積加算値を加工したデータ（例えば、所定数で除したものや、符号化したもの）であってもよい。
【００９１】
この累積データは、図６等で後述するように所定タイミング（所定時間毎、営業終了時）に遊技用管理装置１及びデータ収集装置３に対して出力される。
【００９２】
図６は、本発明の第１の実施の形態の遊技システムの営業中から営業終了までの処理を示すシーケンス図である。
【００９３】
営業中の時間帯は、遊技機６において、所定数（例えば、１０個）の賞球が排出された等の稼動情報が発生する。遊技機６から賞球信号が送信されると、その稼動情報（賞球信号）は情報収集端末装置５に入力される。情報収集端末装置５は、賞球信号等を受信して稼動情報を収集し、受信、収集した稼動情報の累積値を算出する。例えば、賞球排出数の累積値に該賞球信号に該当する賞球数を加算し、賞球排出数の累積値を算出する。そして、情報収集端末装置５は該累積値を記憶する。
【００９４】
遊技用管理装置１は、所定時間（例えば、１０分）毎に、情報収集端末装置５に対して累積値の送信を要求する累積値要求信号を送信してポーリングを行う。この累積値送信要求に対応して、情報収集端末装置５は算出記憶した累積値を稼動情報の累積データとして送信する。情報収集端末装置５から送信される累積データは、その出力時間を示す時間情報又はその出力順序を示す順序情報（一連番号）を付して送信される。このように、累積データに時間情報を付して出力すると、送信された累積データの時間情報の間隔から、累積データの転送誤り（送信漏れ、受信誤り）漏れを検出することができる。また、累積データに順序情報を付して出力すると、送信された累積データの一連番号が連続しているか否かを判定することによって、累積データの転送誤り（送信漏れ、受信誤り）を検出することができる。
【００９５】
そして、遊技用管理装置１は、情報収集端末装置５から稼動情報の累積値を受信すると、累積値を蓄積する処理を行って、営業状態の推移を管理する。
【００９６】
営業終了時は、遊技場に設置された遊技機６や遊技関連装置（計数機７、券売機８、金庫９等）の稼働が終了すると、遊技場の係員が、遊技用管理装置１で営業終了の操作をする。この営業終了操作がされると、遊技用管理装置１は、情報収集端末装置５に対して累積値の送信を要求する累積値要求信号を送信してポーリングを行う。この営業終了後に送信される累積値要求信号には、最終累積値の送信要求であることを示すフラグが付されて送信される。
【００９７】
この累積値送信要求に対応して、情報収集端末装置５は算出記憶した累積値を最終累積値として確定し記憶する、稼動情報の累積データとして遊技用管理装置１に対して送信する。
【００９８】
この営業終了に伴う累積値送信要求は、遊技用管理装置１から各情報収集端末装置５に対して順にポーリングをする方法でもよいが、遊技用管理装置１から内部ネットワークに接続された各機器に対して営業終了信号を同報送信（ブロードキャスト）してもよい。なお、遊技用管理装置１から営業終了信号を同報した場合に、各情報収集端末装置５からの累積値の送信タイミングの重複を防止するために、情報収集端末装置５において、乱数によって、営業終了信号の受信から累積値の送信までの時間を決定するように構成するとよい。
【００９９】
そして、遊技用管理装置１は、情報収集端末装置５から稼動情報の累積値を受信すると、累積値を蓄積する処理を行って、営業単位（例えば、営業日毎）の計数処理を行う。遊技用管理装置１は、情報収集端末装置５からの稼動情報の累積値の受信後に、遊技場外部管理装置２に対して、営業終了時の最終累積値を稼動情報の累積データとして送信する。
【０１００】
また、営業終了時は、情報収集端末装置５は、遊技場の営業終了を、自ら判定する（情報収集端末装置５による営業終了判定は、図７、図８で後述する）。そして、情報収集端末装置５は、遊技用管理装置１からの信号に基づいて確定した最終累積値を、データ収集装置３に対して送信する。このように最終累積値を確定した後に累積データとして送信すると、遊技用管理装置１とデータ収集装置３とに送信される累積データが同一のデータであることを保証することができる。
【０１０１】
データ収集装置３は、情報収集端末装置５から稼動情報の累積値を受信すると、その累積値を加算し、複数の情報収集端末装置５から受信した累積値を種類別に分類して、該累積値の種類別の合計値を求めて、最終累積値を確定して、記憶手段に記憶する。そして、データ収集装置３は、遊技場外部管理装置２に対して、営業終了時の最終累積値を稼動情報の累積データとして送信する。この最終累積値は、遊技場での合計値ではなく、島単位の合計値としても、各収集端末装置５単位の累積値を最終累積値としてもよい。
【０１０２】
このように、情報収集端末装置５のマイクロプロセッサ５０が、遊技用管理装置１からの信号によって営業終了を判定したり、自ら営業終了を判定することによって最終累積データ確定手段が構成される。
【０１０３】
このデータ収集端末３から遊技場外部管理装置２に対して送信される営業終了時の稼動情報の最終累積値は暗号化されて、遊技用管理装置１を経由して送信される。すなわち、データ収集装置３には稼動情報の累積値を暗号化する暗号化手段を設け、遊技場外部管理装置２には、データ収集装置３が送信した暗号化された稼動情報の累積値を解読する解読手段を設ける。この暗号化には、データ収集装置３の暗号化手段と遊技場外部管理装置２の解読手段に暗号化・解読用の鍵を公開鍵暗号等の方法を用いて実現することができる。
【０１０４】
また、データ収集端末３から遊技場外部管理装置２に対して送信される最終累積値とは別に、送信データ（最終累積値）のハッシュ値を求めて遊技場外部管理装置２に送信して。両者を比較すれば、最終累積値データが途中で改変されていないかを確認することができる。このように情報収集端末装置５から遊技場外部管理装置２に対して送信される営業終了時の稼動情報の累積値を暗号化して送信したり、改変防止手法を用いると、遊技用管理装置１における情報収集端末装置５から遊技場外部管理装置２に対して送信される営業終了時の稼動情報の最終累積値の改変を防止することができる。
【０１０５】
また、データ収集端末３から遊技場外部管理装置２に、営業終了時の稼動情報の最終累積値を送信することなく、データ収集端末３から遊技場外部管理装置２には営業終了時の稼動情報の最終累積値から求めたハッシュ値のみを送信し、後日、遊技用管理装置１に記憶されている営業終了時の稼動情報の最終累積値から求めたハッシュ値とを比較することによって、遊技用管理装置１に記憶されている営業終了時の稼動情報の最終累積値が改変されていないかを検証するように構成してもよい。
【０１０６】
第１の実施の形態では、情報収集端末装置５は、遊技用管理装置１に対しては、遊技用管理装置１からのポーリングに基づいて営業終了時の稼動情報の累積値を送信し、データ収集装置３に対しては、遊技場の営業終了を自ら判定して営業終了時の稼動情報の累積値を送信するように構成したが、後述する第２の実施の形態（図９）のように、情報収集端末装置５が、遊技用管理装置１からのポーリングに基づいて遊技用管理装置１に対して営業終了時の稼動情報の累積値を送信し、データ収集装置３からのポーリングに基づいてデータ収集装置３に対して営業終了時の稼動情報の累積値を送信するように構成してもよく、後述する第３の実施の形態（図１０）のように、情報収集端末装置５が、遊技用管理装置１からのポーリングに基づいて、遊技用管理装置１及びデータ収集装置３の双方に対して営業終了時の稼動情報の累積値を送信するように構成してもよい。
【０１０７】
また、情報収集端末装置５が、遊技場の営業終了を自ら判定して、遊技用管理装置１及びデータ収集装置３の双方に対して営業終了時の稼動情報の累積値を送信するように構成してもよく、後述する第２の実施の形態（図９）のように、情報収集端末装置５が、遊技用管理装置１からの営業終了報知に基づいて、遊技用管理装置１及びデータ収集装置３の双方に対して営業終了時の稼動情報の累積値を送信するように構成してもよく、後述する第３の実施の形態（図１０）のように、データ収集装置３が、遊技場の営業終了を自ら判定して情報収集端末装置５に営業終了を報知して、情報収集端末装置５が遊技用管理装置１及びデータ収集装置３の双方に対して営業終了時の稼動情報の累積値を送信するように構成してもよい。
【０１０８】
図７は、本発明の第１の実施の形態の遊技システムの、営業中に送信される信号を示したブロック図である。
【０１０９】
情報源である遊技機６において、所定数（例えば、１０個）の賞球が排出されたときに「賞球信号」が出力されたり、遊技機６が特別遊技状態（大当り状態）になると「大当り信号」が出力されると、これらの信号は稼動情報として情報収集端末装置５に入力される（図中(1)）。
【０１１０】
情報収集端末装置５では、情報源（遊技機６）からの稼動情報を受信すると、稼動中信号を内部ネットワーク内で同報送信（ブロードキャスト）する（図中(2)）。この稼働中信号は短い信号とすれば、同報送信してもネットワークに影響を与えるほど、ネットワークの負荷を増加させることはない。
【０１１１】
そして、この稼動中信号は、他の情報収集端末装置５に受信される（図中(3)）。稼動中信号を受信した情報収集端末装置５は、他の情報収集端末装置５が稼働中であり、遊技システムが稼働していると判定して、遊技店が営業中であることを知ることができる。
【０１１２】
また、後述（図８）するように情報収集端末装置５は、情報源（遊技機６）の稼働中は、稼働中信号を所定の送信待ち時間の後に送信する。そして、他の情報収集端末装置５が送信した稼動中信号を受信したら、さらに所定の送信待ち時間の後に稼動中信号を送信する。なお、後述するように、この所定の送信待ち時間は乱数によって定め、複数の情報収集端末装置５からの稼動中信号が衝突して、ネットワークに無用の負荷を与えないようにしている。
【０１１３】
図８は、本発明の第１の実施の形態の遊技システムの情報収集端末装置５において実行される、営業判定処理のフローチャートである。
【０１１４】
本図に示す営業判定処理では、情報収集端末装置５に接続されている装置の稼動状態の監視処理（Ｓ１０１〜Ｓ１０４）を行う。
【０１１５】
情報収集端末装置５は、該情報収集端末装置５に接続されている装置（遊技機６、計数機７、券売機８、金庫９）から出力される信号（賞球信号、計数信号、売上信号等）を監視して、これらの装置が稼働状態にあるか否かを判定する（Ｓ１０１）。これらの装置から稼動に伴う信号（稼動情報）が出力されており、装置が稼働中であると判定したら、稼動フラグを設定（１にセット）して、接続されている装置が稼動状態であることを記憶して（Ｓ１０２）、監視タイマを初期化（リセット）し、新たな監視時間を設定する（Ｓ１０３）。そして、稼動中信号の受信処理（Ｓ１０５〜Ｓ１０８）に進む。
【０１１６】
一方、これらの装置が稼働状態でなければ、監視タイマが所定の時間に達してタイムアウトし、所定の監視時間が経過したか否かを判定する（Ｓ１０４）。そして、監視タイマが所定の時間に達していなければ、情報収集端末装置５に接続された装置の稼動状態の所定時間の監視が終了していないので、営業終了を判定することなく、他の情報収集端末装置５からの稼動中信号の受信処理（Ｓ１０５〜Ｓ１０８）に進む。
【０１１７】
一方、監視タイマが所定の時間に達してタイムアウトしていれば、所定の監視時間中に、情報収集端末装置５に接続された装置が稼動状態とはならず、他の情報収集端末装置５から稼動中信号を受信することもなかったので、遊技場に設置されたいずれの装置も稼動状態ではなく、遊技場の営業が終了したと判定する（Ｓ１１５）。
【０１１８】
次に、他の情報収集端末装置５からの稼動中信号の受信処理（Ｓ１０５〜Ｓ１０８）を行う。
【０１１９】
まず、他の情報収集端末装置５から同報される稼動中信号が受信されたか否かを判定する（Ｓ１０５）。他の情報収集端末装置５から同報された稼動中信号を受信すると、監視タイマを初期化（リセット）して、新たな監視時間を設定する（Ｓ１０６）。そして、次に稼動中信号を送信するタイミングを決定する送信タイマを初期化（リセット）する。その後、新たな稼動中信号待ち時間が開始するので稼動フラグを初期化（０にクリア）する（Ｓ１０８）。そして、稼動中信号の送信処理（Ｓ１０９〜Ｓ１１３）に進む。
【０１２０】
このステップＳ１０７において、送信タイマに設定される時間は乱数によって決定され、情報収集端末装置５毎に異なる時間が設定されるようになっている。すなわち、ある情報収集端末装置５が稼動中信号を送信すると、これを受信した情報収集端末装置５はほぼ同時に送信タイマを初期化するので、送信タイマに設定される時間が同じであると、各情報収集端末装置５の送信タイマがほぼ同時にタイムアウトして、複数の情報収集端末装置５から稼動中信号がほぼ同時に送信され、これらが衝突してネットワークの無用な負荷が増大する問題が生じるので、送信タイマに設定される時間を乱数によって決定して、各情報収集端末装置５からの稼動中信号の送信タイミングがずれるようにしている。
【０１２１】
一方、他の情報収集端末装置５から同報される稼動中信号を受信しなければ、何ら処理を行うことなく、稼動中信号の送信処理（Ｓ１０９〜Ｓ１１３）に進む。
【０１２２】
次に、稼動中信号の送信処理（Ｓ１０９〜Ｓ１１３）を行う。
【０１２３】
まず、稼動中信号の送信タイミングを決定する送信タイマがタイムアウトし、所定の送信待ち時間が経過したか否かを判定する（Ｓ１０９）。送信タイマに設定された送信待ち時間が経過していたら、稼動フラグが設定（１にセット）されているか否かを判定する（Ｓ１１０）。
【０１２４】
稼動フラグが設定（１にセット）されていれば、当該送信待ち時間中に、情報収集端末装置５に接続された装置が稼動状態となっているので、稼動中信号を同報送信する（Ｓ１１５）。そして、次の稼動中信号の送信タイミングを決定するために、乱数を用いて送信タイマを初期化する（Ｓ１１２）。そして、新たな稼動中信号送信待ち時間が開始するので稼動フラグを初期化（０にクリア）して（Ｓ１１７）、この営業判定処理を終了する。
【０１２５】
一方、送信タイマに設定された送信待ち時間が経過しておらず、又は、稼動フラグが設定されていなければ、何ら処理を行うことなく、この営業判定処理を終了する。
【０１２６】
このように、上述した営業判定処理が情報収集端末装置５のマイクロプロセッサ５０において実行されることによって営業終了判定手段が構成される。
【０１２７】
なお、以上説明した営業判定処理によらず、予め設定されている営業時間情報や、過去の営業終了時間から営業終了時間を推測する等の方法によっても、情報収集端末装置５が営業終了を判定することもできる。
【０１２８】
このように第１の実施の形態では、情報収集端末装置５が、遊技用管理装置１及びデータ収集装置３に対して営業終了時の稼動情報の累積値（累積データ）を送信する。そして、遊技用管理装置１が営業終了操作に基づいて遊技場外部管理装置２に対して営業終了時の稼動情報の最終累積値を送信し、データ収集装置３が自ら営業終了を判定して遊技場外部管理装置２に対して営業終了時の稼動情報の最終累積値を送信するので、データ収集装置３では遊技用管理装置１の動作とは関係なく稼動情報の最終累積値を送信する。そして、遊技場外部管理装置２では、遊技用管理装置１から送信された最終累積値と、データ収集装置３から送信された最終累積値とを比較することによって、遊技用管理装置１に蓄積される稼動情報の累積値の正当性を確認することができ、遊技用管理装置１を操作しての不正行為の有無を確認することができる。
【０１２９】
図９は、本発明の第２の実施の形態の遊技システムの営業中から営業終了までの処理を示すシーケンス図である。
【０１３０】
営業中の時間帯は、遊技機６が稼動しており、遊技機６から稼動情報として、所定数（例えば、１０個）の賞球が排出された賞球信号等が出力される。また、計数機７も稼動しており、計数機７から計数信号が出力され、券売機８から売上信号が出力され、金庫９から入金信号が出力される。これらの信号は稼動情報として情報収集端末装置５に入力される。
【０１３１】
遊技機６からの賞球信号、券売機８からの計数信号等の稼動情報が出力されると、その稼動情報（賞球信号、貸球信号、計数信号、売上信号、入金信号）は情報収集端末装置５に入力される。情報収集端末装置５では、賞球信号等を受信して稼動情報を収集する。そして、受信、収集した稼動情報がイベント情報であれば、直ちに遊技用管理装置１に該イベント情報を送信する。このイベント情報の送信に関する処理は、第１の実施の形態（図５）と同じである。
【０１３２】
また、情報収集端末装置５は、受信した稼動情報が、累積値の算出が必要なものであれば、該稼動情報の累積値を算出する。例えば、累積記憶されている遊技媒体数に計数機７から出力される計数した遊技媒体数を加算し、遊技媒体数の累積値を算出する。そして、情報収集端末装置５は該累積値を記憶する。
【０１３３】
遊技用管理装置１は、所定時間（例えば、１０分）毎に、情報収集端末装置５に対して累積値の送信を要求する累積値要求信号を送信してポーリングを行う。この累積値送信要求に対応して、情報収集端末装置５は算出記憶した累積値を稼動情報の累積データとして送信する。そして、遊技用管理装置１は、情報収集端末装置５から稼動情報の累積値を受信すると、累積値を蓄積する処理を行って、営業状態の推移を管理する。
【０１３４】
また、データ収集装置３も、所定時間（例えば、１０分）毎に、情報収集端末装置５に対して累積値の送信を要求する累積値要求信号を送信してポーリングを行う。この累積値送信要求に対応して、情報収集端末装置５は算出記憶した累積値を稼動情報の累積データとして送信する。そして、データ収集装置３は、情報収集端末装置５から稼動情報の累積値を受信すると、累積値を蓄積する処理を行う。
【０１３５】
営業終了時は、遊技場に設置された遊技機６や遊技関連装置（計数機７、券売機８、金庫９等）の稼働が終了すると、遊技場の係員が、遊技用管理装置１に営業終了の操作をする。この営業終了操作がされると、遊技用管理装置１は、内部ネットワークに接続された各機器（情報収集端末装置５を含む）に対して営業終了信号を同報送信（ブロードキャスト）する。この営業終了報知信号に対応して、情報収集端末装置５は算出記憶した累積値を稼動情報の累積データとして遊技用管理装置１及びデータ収集装置３に対して同じデータを送信する。この情報収集端末装置５からの累積値の送信タイミングは、異なる情報収集端末装置５から送信される累積値の重複を防止するために、情報収集端末装置５において、乱数によって、営業終了報知信号の受信から累積値の送信までの時間を決定するように構成する。
【０１３６】
この営業終了報知信号は、遊技用管理装置１同報送信（ブロードキャスト）する方法でもよいが、遊技用管理装置１から各情報収集端末装置５に対して順に送信する方法で報知してもよい。
【０１３７】
なお、情報収集端末装置５が、遊技用管理装置１に対するデータとは別個に、データ収集装置３に対して稼動情報の累積値（累積データ）を送信するのではなく、データ収集装置３が遊技用管理装置１宛の稼動情報の累積値を取得するように構成してもよい。具体的には、遊技用管理装置１とデータ収集装置３とをスイッチングハブの異なるポートに接続し、データ収集装置３が接続されるポートを、遊技用管理装置１が接続されるポートのミラーポートに設定することによって、遊技用管理装置１宛に送信されるデータ等のパケット信号は、全てデータ収集装置３が接続されるポートにも出力されるので、データ収集装置３が遊技用管理装置１宛のデータを取得することができる。
【０１３８】
また、情報収集端末装置５が、遊技用管理装置１に対するデータとは別個に、データ収集装置３に対して稼動情報の累積値（累積データ）を送信するのではなく、遊技用管理装置１が受信した稼動情報の累積値をデータ収集装置３に送信したり、データ収集装置３が受信した稼動情報の累積値を遊技用管理装置１に送信したりして、データ収集装置３が遊技用管理装置１と同じ稼動情報の累積値を収集するように構成してもよい。
【０１３９】
そして、遊技用管理装置１は、情報収集端末装置５から稼動情報の累積値を受信すると、累積値を蓄積する処理を行って、営業単位（例えば、営業日毎）の計数管理を行う。データ収集装置３は、情報収集端末装置５から稼動情報の累積値を受信すると、遊技場外部管理装置２からの累積値送信要求があるまで受信した累積値を蓄積する。
【０１４０】
さらに、遊技用管理装置１は、情報収集端末装置５からの稼動情報の累積値の受信後に、遊技場外部管理装置２に対して、営業終了時の最終累積値を稼動情報の累積データとして送信する。遊技場外部管理装置２は、遊技用管理装置１からの営業終了時の稼動情報の累積値を受信すると、受信した累積値を蓄積する。そして、データ収集装置３に対して累積値の送信を要求する累積値送信要求を送信する。
【０１４１】
データ収集装置３は、情報収集端末装置５から稼動情報の累積値を受信すると、その累積値を加算し、複数の情報収集端末装置５から受信した累積値を種類別に分類して、該累積値の種類別の合計値を求めて、最終累積値を確定して、記憶手段に記憶する。遊技場外部管理装置２からの累積値送信要求を受信すると、遊技場外部管理装置２に対して、営業終了時の最終累積値を稼動情報の累積データとして送信する。この情報収集端末装置５から遊技場外部管理装置２に対して送信される営業終了時の稼動情報の累積値は暗号化したり、送信データのハッシュ値を別に送信する等の方法によって、遊技用管理装置１におけるデータ収集装置３から遊技場外部管理装置２に対して送信される営業終了時の稼動情報の最終累積値の改変を防止することができる。
【０１４２】
そして、遊技場外部管理装置２は、データ収集装置３からの稼動情報の最終累積値を受信すると、受信した最終累積値を蓄積する。
【０１４３】
本実施の形態において、情報収集端末装置５は、遊技用管理装置１からのポーリングに基づいて営業終了時の稼動情報の最終累積値を、遊技用管理装置１及びデータ収集装置３に対して送信するように構成したが、情報収集端末装置５が、遊技場の営業終了を自ら判定して、遊技用管理装置１及びデータ収集装置３に対して営業終了時の稼動情報の累積値を送信するように構成してもよい。
【０１４４】
第２の実施の形態では、情報収集端末装置５が、遊技用管理装置１からのポーリングに基づいて遊技用管理装置１に対して営業終了時の稼動情報の累積値を送信し、データ収集装置３からのポーリングに基づいてデータ収集装置３に対して営業終了時の稼動情報の累積値を送信するように構成したが、前述した第１の実施の形態（図６）のように、情報収集端末装置５は、遊技用管理装置１に対しては、遊技用管理装置１からのポーリングに基づいて営業終了時の稼動情報の累積値を送信し、データ収集装置３に対しては、遊技場の営業終了を自ら判定して営業終了時の稼動情報の累積値を送信するように構成してもよく、後述する第３の実施の形態（図１０）のように、情報収集端末装置５が、遊技用管理装置１からのポーリングに基づいて、遊技用管理装置１及びデータ収集装置３の双方に対して営業終了時の稼動情報の累積値を送信するように構成してもよい。
【０１４５】
また、第２の実施の形態では、情報収集端末装置５が、遊技用管理装置１からの営業終了報知に基づいて、遊技用管理装置１及びデータ収集装置３の双方に対して営業終了時の稼動情報の累積値を送信するように構成したが、情報収集端末装置５が、遊技場の営業終了を自ら判定して、遊技用管理装置１及びデータ収集装置３の双方に対して営業終了時の稼動情報の累積値を送信するように構成してもよく、後述する第３の実施の形態（図１０）のように、データ収集装置３が、遊技場の営業終了を自ら判定して情報収集端末装置５に営業終了を報知して、情報収集端末装置５が遊技用管理装置１及びデータ収集装置３の双方に対して営業終了時の稼動情報の累積値を送信するように構成してもよい。
【０１４６】
このように第２の実施の形態では、情報収集端末装置５が、遊技用管理装置１からの営業終了報知信号に基づいて、遊技用管理装置１及びデータ収集装置３に対して営業終了時の稼動情報の累積値（累積データ）を送信する。そして、遊技用管理装置１及びデータ収集装置３が、遊技場外部管理装置２に対して、別個に営業終了時の稼動情報の最終累積値を送信するので、遊技場外部管理装置２では、遊技用管理装置１から送信された最終累積値と、データ収集装置３から送信された最終累積値とを比較することによって、遊技用管理装置１に蓄積される稼動情報の累積値の正当性を確認することができる。
【０１４７】
図１０は、本発明の第３の実施の形態の遊技システムの営業中から営業終了までの処理を示すシーケンス図である。
【０１４８】
営業中の時間帯は、遊技機６が稼動しており、遊技機６から稼動情報として、所定数（例えば、１０個）の賞球が排出された賞球信号等が出力される。また、計数機７も稼動しており、計数機７から計数信号が出力され、券売機８から売上信号が出力され、金庫９から入金信号が出力される。これらの信号は稼動情報として情報収集端末装置５に入力される。
【０１４９】
遊技機６からの賞球信号、券売機８からの計数信号等の稼動情報が出力されると、その稼動情報（賞球信号、貸球信号、計数信号、売上信号、入金信号）は情報収集端末装置５に入力される。情報収集端末装置５では、賞球信号等を受信して稼動情報を収集する。そして、受信、収集した稼動情報がイベント情報であれば、直ちに遊技用管理装置１に該イベント情報を送信する。このイベント情報の送信に関する処理は、第１の実施の形態（図５）と同じである。
【０１５０】
また、情報収集端末装置５は、受信した稼動情報が、累積値の算出が必要なものであれば、該稼動情報の累積値を算出する。例えば、累積記憶されている売上高に券売機８から出力されるプリペイドカードの売上高を加算し、売上高の累積値を算出する。そして、情報収集端末装置５は該累積値を記憶する。
【０１５１】
遊技用管理装置１は、所定時間（例えば、１０分）毎に、情報収集端末装置５に対して累積値の送信を要求する累積値要求信号を送信してポーリングを行う。この累積値送信要求に対応して、情報収集端末装置５は算出記憶した累積値を稼動情報の累積データとして送信する。そして、遊技用管理装置１は、情報収集端末装置５から稼動情報の累積値を受信すると、累積値を蓄積する処理を行って、営業状態の推移を管理する。
【０１５２】
また、遊技用管理装置１からの累積値要求信号に対応して、情報収集端末装置５は算出記憶した累積値（遊技用管理装置１に送信したものと同じデータ）を稼動情報の累積データとしてデータ収集装置３にも送信する。そして、データ収集装置３は、情報収集端末装置５から稼動情報の累積値を受信すると、累積値を蓄積する処理を行う。なお、情報収集端末装置５が、データ収集装置３に対して、遊技用管理装置１に対するデータとは別個に稼動情報の累積値を送信するのではなく、データ収集装置３が遊技用管理装置１宛の稼動情報の累積値を取得するように構成してもよい。具体的には、前述したように、データ収集装置３をスイッチングハブの、遊技用管理装置１が接続されているポートのミラーポートに接続することにより、データ収集装置３が遊技用管理装置１宛のデータを取得することができる。
【０１５３】
営業終了時は、遊技場に設置された遊技機６や遊技関連装置（計数機７、券売機８、金庫９等）の稼働が終了すると、データ収集装置３は、遊技場の営業終了を、自ら判定する。このデータ収集装置３による営業終了判定は、情報収集端末装置５における判定と同様にタイマを用いて、稼動情報の累積値が送信されているかを監視することによって行う。すなわち、データ収集装置３をスイッチングハブの、遊技用管理装置１が接続されているポートのミラーポートに接続することにより、情報収集端末装置５から遊技用管理装置１に対して送信されるデータを取得することができ、情報収集端末装置５から遊技用管理装置１に対して稼動情報の累積値が送信されているか否かを判定することができる。そして、所定時間、情報収集端末装置５から遊技用管理装置１に対して稼動情報の累積値が送信されないと、遊技場に設置されたいずれの装置も稼動状態ではなく、遊技場の営業が終了したと判定する。
【０１５４】
このように、データ収集装置３のＣＰＵ３０１が、遊技用管理装置１に対して累積値データが送信される頻度によって営業終了を判定したり、自ら営業終了を判定することによって最終累積データ確定手段が構成される。
【０１５５】
データ収集装置３は、営業終了の判定をすると、内部ネットワークに接続された各機器に対して営業終了信号を同報送信（ブロードキャスト）して、営業の終了を報知する。そして、営業終了信号を受信した情報収集端末装置５は、最終累積値を確定して、その累積値を累積データとして、遊技用管理装置１及びデータ収集装置３に対して送信する。このとき、各情報収集端末装置５からの累積値の送信タイミングの重複を防止するために、情報収集端末装置５において、乱数によって、営業終了信号の受信から累積値の送信までの時間を決定するように構成するとよい。
【０１５６】
そして、遊技用管理装置１は、情報収集端末装置５から稼動情報の累積値を受信すると、累積値を蓄積する処理を行って、営業単位（例えば、営業日毎）の計数管理を行う。データ収集装置３は、情報収集端末装置５から稼動情報の累積値を受信すると、遊技場外部管理装置２からの累積値送信要求があるまで受信した累積値を蓄積する。
【０１５７】
さらに、遊技用管理装置１は、情報収集端末装置５からの稼動情報の累積値の受信後に、遊技場外部管理装置２に対して、営業終了時の最終累積値を稼動情報の累積データとして送信する。遊技場外部管理装置２は、遊技用管理装置１からの営業終了時の稼動情報の累積値を受信すると、受信した累積値を蓄積する。そして、データ収集装置３に対して累積値の送信を要求する累積値送信要求を送信する。
【０１５８】
データ収集装置３は、情報収集端末装置５から稼動情報の累積値を受信すると、その累積値を加算し、複数の情報収集端末装置５から受信した累積値を種類別に分類して、該累積値の種類別の合計値を求めて、最終累積値を確定して、記憶手段に記憶する。遊技場外部管理装置２からの累積値送信要求を受信すると、遊技場外部管理装置２に対して、営業終了時の最終累積値を稼動情報の累積データとして送信する。この情報収集端末装置５から遊技場外部管理装置２に対して送信される営業終了時の稼動情報の累積値は暗号化したり、送信データのハッシュ値を別に送信する等の方法によって、遊技用管理装置１におけるデータ収集装置３から遊技場外部管理装置２に対して送信される営業終了時の稼動情報の最終累積値の改変を防止することができる。
【０１５９】
そして、遊技場外部管理装置２は、データ収集装置３からの稼動情報の最終累積値を受信すると、受信した最終累積値を蓄積する。
【０１６０】
本実施の形態において、情報収集端末装置５は、遊技用管理装置１からのポーリングに基づいて営業終了時の稼動情報の最終累積値を、遊技用管理装置１及びデータ収集装置３に対して送信するように構成したが、情報収集端末装置５が、遊技場の営業終了を自ら判定して、遊技用管理装置１及びデータ収集装置３に対して営業終了時の稼動情報の累積値を送信するように構成してもよい。
【０１６１】
第３の実施の形態では、情報収集端末装置５が、遊技用管理装置１からのポーリングに基づいて、遊技用管理装置１及びデータ収集装置３の双方に対して営業終了時の稼動情報の累積値を送信するように構成したが、前述した第１の実施の形態（図６）のように、情報収集端末装置５は、遊技用管理装置１に対しては、遊技用管理装置１からのポーリングに基づいて営業終了時の稼動情報の累積値を送信し、データ収集装置３に対しては、遊技場の営業終了を自ら判定して営業終了時の稼動情報の累積値を送信するように構成してもよく、前述した第２の実施の形態（図９）のように、情報収集端末装置５が、遊技用管理装置１からのポーリングに基づいて遊技用管理装置１に対して営業終了時の稼動情報の累積値を送信し、データ収集装置３からのポーリングに基づいてデータ収集装置３に対して営業終了時の稼動情報の累積値を送信するように構成してもよい。
【０１６２】
また、第３の実施の形態では、データ収集装置３が、遊技場の営業終了を自ら判定して情報収集端末装置５に営業終了を報知して、情報収集端末装置５が遊技用管理装置１及びデータ収集装置３の双方に対して営業終了時の稼動情報の累積値を送信するように構成したが、前述した第２の実施の形態（図９）のように、情報収集端末装置５が、遊技用管理装置１からの営業終了報知に基づいて、遊技用管理装置１及びデータ収集装置３の双方に対して営業終了時の稼動情報の累積値を送信するように構成してもよく、情報収集端末装置５が、遊技場の営業終了を自ら判定して、遊技用管理装置１及びデータ収集装置３の双方に対して営業終了時の稼動情報の累積値を送信するように構成してもよい。
【０１６３】
このように第３の実施の形態では、情報収集端末装置５が、遊技用管理装置１からの累積値要求信号に基づいて、遊技用管理装置１及びデータ収集装置３に対して営業終了時の稼動情報の累積値（累積データ）を送信する。この累積値要求信号は営業中に遊技用管理装置１から送信される累積値要求信号と変わりないので、情報収集端末装置５や遊技用管理装置１における処理を簡素化することができる。
【０１６４】
そして、遊技用管理装置１及びデータ収集装置３が、遊技場外部管理装置２に対して、別個に営業終了時の稼動情報の最終累積値を送信するので、遊技場外部管理装置２では、遊技用管理装置１から送信された最終累積値と、データ収集装置３から送信された最終累積値とを比較することによって、遊技用管理装置１に蓄積される稼動情報の累積値の正当性を確認することができる。
【０１６５】
図１１は、本発明の実施の形態の遊技システムのタイミング図である。本図において、Ｔ２は開店時間を、Ｔ３は閉店時間を示す。情報収集時間は、営業時間を含む時間として設定されており、遊技場の係員が、開店に先立って遊技用管理装置１に営業開始を指示することによって情報の収集を開始する（Ｔ１）。また、閉店後全ての遊技者が退場し、遊技機６及び遊技関連機器（計数機７、券売機、金庫９等）の稼動が停止したら、遊技場の係員が遊技用管理装置１に営業終了を指示することによって情報の収集を終了する（Ｔ４）。なお、一営業単位は、一日の営業開始（Ｔ１）から営業終了（Ｔ４）までで、開店時間（Ｔ２）より早く始まり、閉店時間（Ｔ３）より遅い。
【０１６６】
なお、営業開始時間（Ｔ１）と営業終了時間（Ｔ４）とを適宜設定することで、週又は月などの複数営業単位での集計を可能としたり、所定時間単位（例えば、１時間単位）で集計するように構成することもできる。
【０１６７】
情報収集端末装置５は、遊技用管理装置１に営業開始操作（営業開始の入力）がされると、遊技用管理装置１から情報収集端末装置５に営業開始報知信号が同報通知される。情報収集端末装置５は、この営業開始報知信号によって、前の営業単位において蓄積した累積値をクリアし、これから開始される当該営業単位における情報収集のための初期化処理をする。この前の営業単位において蓄積した稼動情報の累積値の初期化は、遊技場外部管理装置２への累積値の送信から、次の営業単位の稼動情報収集開始までの間に行えばよい。
【０１６８】
そして、営業情報の収集を開始する。営業時間中は、情報収集端末装置５は、遊技機６、計数機７、券売機８、金庫９等からの稼動情報を収集して、稼動情報を演算して、累積値を算出し、稼動情報の累積データを生成する。
【０１６９】
遊技用管理装置１に営業終了指示がされると、遊技用管理装置１から情報収集端末装置５に営業終了指示が同報通知される。情報収集端末５は、この営業終了通知によって、情報収集時間が終了し、稼動情報の収集が終了する。そして、情報収集端末装置５は、遊技用管理装置１に累積値（稼動情報の累積データ）を送信する。遊技用管理装置１は受信した累積値を記憶する。また、情報収集端末装置５は、データ収集装置３に累積値（稼動情報の累積データ）を送信する。データ収集装置３は受信した累積値を記憶する。
【０１７０】
そして、遊技用管理装置１は、遊技場外部管理装置２に最終累積値（稼動情報の累積データ）を送信する。また、データ収集装置３も、遊技場外部管理装置２に最終累積値（稼動情報の累積データ）を送信する。
【０１７１】
今回開示した実施の形態は、全ての点で例示であって制限的なものではない。本発明の範囲は上記した発明の説明ではなくて特許請求の範囲によって示され、特許請求の範囲と均等の意味及び内容の範囲での全ての変更が含まれることが意図される。
【図面の簡単な説明】
【０１７２】
【図１】本発明の実施の形態の遊技システムのシステム構成図である。
【図２】本発明の実施の形態の遊技システムの別のシステム構成図である。
【図３】本発明の実施の形態の情報収集端末装置５に用いられるマイクロプロセッサの構成を示すブロック図である。
【図４】本発明の実施の形態のデータ収集装置３の構成を示すブロック図である。
【図５】本発明の第１の実施の形態の遊技システムのイベント情報発生時のシーケンス図である。
【図６】本発明の第１の実施の形態の遊技システムの営業中から営業終了までのシーケンス図である。
【図７】本発明の第１の実施の形態の遊技システムの営業中に送信される信号を示したブロック図である。
【図８】本発明の第１の実施の形態の遊技システムの営業判定処理のフローチャートである。
【図９】本発明の第２の実施の形態の遊技システムの営業中から営業終了までのシーケンス図である。
【図１０】本発明の第３の実施の形態の遊技システムの営業中から営業終了までのシーケンス図である。
【図１１】本発明の実施の形態の遊技システムのタイミング図である。
【符号の説明】
【０１７３】
１  遊技用管理装置
２  遊技場外部管理装置
３  データ収集装置
４  中継端末
５  情報収集端末装置
６  遊技機
７  計数機
８  券売機
９  金庫
【図１】
2006051391.tif 000003
【図２】
2006051391.tif 000004
【図３】
2006051391.tif 000005
【図４】
2006051391.tif 000006
【図５】
2006051391.tif 000007
【図６】
2006051391.tif 000008
【図７】
2006051391.tif 000009
【図８】
2006051391.tif 000010
【図９】
2006051391.tif 000011
【図１０】
2006051391.tif 000012
【図１１】
2006051391.tif 000013
【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
遊技場に設置された遊技機と遊技場の収支に関わる装置との少なくとも一方から稼動情報を収集する情報収集端末装置と、
前記情報収集端末装置が収集した稼動情報を収集する遊技用管理装置と、
前記遊技用管理装置とは別に動作し、前記遊技用管理装置が収集する稼動情報と対比可能な稼動情報を収集するデータ収集装置と、
前記情報収集端末装置、前記遊技用管理装置及び前記データ収集装置を接続するネットワークと、を備えた遊技システムであって、
前記情報収集端末装置は、
収集した前記稼動情報を演算し、所定期間の累積データを生成する累積データ生成手段と、
前記累積データを前記ネットワークに送信する累積データ送信手段と、を備え、
前記データ収集装置は、
前記情報収集端末装置が送信した累積データを記憶する累積データ記憶手段と、
前記累積データを出力する累積データ出力手段と、を備えることを特徴とする遊技システム。
【請求項２】
遊技場に設置された遊技機と遊技場の収支に関わる装置との少なくとも一方から稼動情報を収集する情報収集端末装置と、
前記情報収集端末装置が収集した稼動情報を収集する遊技用管理装置と、
前記遊技用管理装置とは別に動作し、前記遊技用管理装置が収集する稼動情報と対比可能な稼動情報を収集するデータ収集装置と、
前記情報収集端末装置、前記遊技用管理装置及び前記データ収集装置を接続するネットワークと、を備えた遊技システムであって、
前記情報収集端末装置は、
収集した前記稼動情報を演算し、所定期間の累積データを生成する累積データ生成手段と、
前記累積データを前記ネットワークに送信する累積データ送信手段と、
前記累積データが一単位の営業が終了した時の累積値に基づくものである場合に、前記累積データを最終累積データとして確定する最終累積データ確定手段と、を備え、
前記データ収集装置は、
前記情報収集端末装置が送信した累積データを記憶する累積データ記憶手段と、
前記累積データを出力する累積データ出力手段と、を備え、
前記累積データ送信手段は、
前記累積データを前記遊技用管理装置に対して送信する第１累積データ送信手段と、
前記累積データを前記データ収集装置に対して送信する第２累積データ送信手段と、を備え、
前記遊技用管理装置から前記累積データの送信要求があったときに、前記第１累積データ送信手段は前記遊技用管理装置に前記累積データを送信し、前記第２累積データ送信手段は前記データ収集装置に前記累積データを送信することを特徴とする遊技システム。
【請求項３】
遊技場に設置された遊技機と遊技場の収支に関わる装置との少なくとも一方から稼動情報を収集する情報収集端末装置と、
前記情報収集端末装置が収集した稼動情報を収集する遊技用管理装置と、
前記遊技用管理装置とは別に動作し、前記遊技用管理装置が収集する稼動情報と対比可能な稼動情報を収集するデータ収集装置と、
前記情報収集端末装置、前記遊技用管理装置及び前記データ収集装置を接続するネットワークと、を備えた遊技システムであって、
前記情報収集端末装置は、
収集した前記稼動情報を演算し、所定期間の累積データを生成する累積データ生成手段と、
前記累積データを前記ネットワークに送信する累積データ送信手段と、
前記累積データが一単位の営業が終了した時の累積値に基づくものである場合に、前記累積データを最終累積データとして確定する最終累積データ確定手段と、を備え、
前記データ収集装置は、
前記情報収集端末装置が送信した累積データを記憶する累積データ記憶手段と、
前記累積データを出力する累積データ出力手段と、を備え、
前記累積データ送信手段は、前記累積データを前記遊技用管理装置に対して送信する第１累積データ送信手段を備え、
前記データ収集装置は、前記第１累積データ送信手段が前記遊技用管理装置に対して送信した累積データを取得することを特徴とする遊技システム。
【請求項４】
前記情報収集端末装置は、
前記最終累積データが確定すると、遊技用管理装置に前記最終累積データを送信すると共に、前記データ収集装置にも前記最終累積データを送信することを特徴とする請求項１２又は３に記載の遊技システム。
【請求項５】
前記データ収集装置は、通信回線を介して、遊技場外部に設けられた遊技場外部管理装置と通信可能に接続されており、
前記データ収集装置は、前記遊技場外部管理装置に前記最終累積データから求めたハッシュ値を送信するハッシュ値外部送信手段を備えることを特徴とする請求項２から４のいずれか一つに記載の遊技システム。
【請求項６】
前記ハッシュ値外部送信手段は、当該営業単位の終了時点から、次の営業単位の開始までの間に、前記遊技場外部管理装置に対して前記ハッシュ値を送信することを特徴とする請求項５に記載の遊技システム。
【手続補正２】
【補正対象書類名】明細書
【補正対象項目名】００１０
【補正方法】変更
【補正の内容】
【００１０】
第２の発明は、遊技場に設置された遊技機と遊技場の収支に関わる装置との少なくとも一方から稼動情報を収集する情報収集端末装置と、前記情報収集端末装置が収集した稼動情報を収集する遊技用管理装置と、前記遊技用管理装置とは別に動作し、前記遊技用管理装置が収集する稼動情報と対比可能な稼動情報を収集するデータ収集装置と、前記情報収集端末装置、前記遊技用管理装置及び前記データ収集装置を接続するネットワークと、を備えた遊技システムであって、前記情報収集端末装置は、収集した前記稼動情報を演算し、所定期間の累積データを生成する累積データ生成手段と、前記累積データを前記ネットワークに送信する累積データ送信手段と、前記累積データが一単位の営業が終了した時の累積値に基づくものである場合に、前記累積データを最終累積データとして確定する最終累積データ確定手段と、を備え、前記データ収集装置は、前記情報収集端末装置が送信した累積データを記憶する累積データ記憶手段と、前記累積データを出力する累積データ出力手段と、を備え、前記累積データ送信手段は、前記累積データを前記遊技用管理装置に対して送信する第１累積データ送信手段と、前記累積データを前記データ収集装置に対して送信する第２累積データ送信手段と、を備え、前記遊技用管理装置から前記累積データの送信要求があったときに、前記第１累積データ送信手段は前記遊技用管理装置に前記累積データを送信し、前記第２累積データ送信手段は前記データ収集装置に前記累積データを送信することを特徴とする。
【手続補正３】
【補正対象書類名】明細書
【補正対象項目名】００１１
【補正方法】変更
【補正の内容】
【００１１】
第３の発明は、遊技場に設置された遊技機と遊技場の収支に関わる装置との少なくとも一方から稼動情報を収集する情報収集端末装置と、前記情報収集端末装置が収集した稼動情報を収集する遊技用管理装置と、前記遊技用管理装置とは別に動作し、前記遊技用管理装置が収集する稼動情報と対比可能な稼動情報を収集するデータ収集装置と、前記情報収集端末装置、前記遊技用管理装置及び前記データ収集装置を接続するネットワークと、を備えた遊技システムであって、前記情報収集端末装置は、収集した前記稼動情報を演算し、所定期間の累積データを生成する累積データ生成手段と、前記累積データを前記ネットワークに送信する累積データ送信手段と、前記累積データが一単位の営業が終了した時の累積値に基づくものである場合に、前記累積データを最終累積データとして確定する最終累積データ確定手段と、を備え、前記データ収集装置は、前記情報収集端末装置が送信した累積データを記憶する累積データ記憶手段と、前記累積データを出力する累積データ出力手段と、を備え、前記累積データ送信手段は、前記累積データを前記遊技用管理装置に対して送信する第１累積データ送信手段を備え、前記データ収集装置は、前記第１累積データ送信手段が前記遊技用管理装置に対して送信した累積データを取得することを特徴とする。
【手続補正４】
【補正対象書類名】明細書
【補正対象項目名】００１２
【補正方法】変更
【補正の内容】
【００１２】
第４の発明は、第２又は第３の発明において、前記情報収集端末装置は、前記最終累積データが確定すると、遊技用管理装置に前記最終累積データを送信すると共に、前記データ収集装置にも前記最終累積データを送信することを特徴とする。
【手続補正５】
【補正対象書類名】明細書
【補正対象項目名】００１３
【補正方法】変更
【補正の内容】
【００１３】
第５の発明は、第２又は第４の発明において、前記データ収集装置は、通信回線を介して、遊技場外部に設けられた遊技場外部管理装置と通信可能に接続されており、前記データ収集装置は、前記遊技場外部管理装置に前記最終累積データから求めたハッシュ値を送信するハッシュ値外部送信手段を備えることを特徴とする。
【手続補正６】
【補正対象書類名】明細書
【補正対象項目名】００１４
【補正方法】変更
【補正の内容】
【００１４】
第６の発明は、第５の発明において、前記ハッシュ値外部送信手段は、当該営業単位の終了時点から、次の営業単位の開始までの間に、前記遊技場外部管理装置に対して前記ハッシュ値を送信することを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】